(57)【要約】【課題】インターネット等の広域コンピュータ・ネットワーク（１００）上で入手可能な情報やデータにアクセスする方法およびシステムを提供する。【解決手段】第１の変調された音響信号（Ａ）が携帯通信ユニット（１、１* ）を持っている一群のユーザに送信される。この第１の変調された音響信号は、広域コンピュータ・ネットワークの決定されたサイトへのリンクに関連付けられた少なくとも１つの識別子（ＩＤ＿１、ＩＤ＿２、…）を含む。これらの識別子は携帯通信ユニットに記憶されており、次いで広域コンピュータ・ネットワークに接続されているコンピュータ端末（５０、５１、５２）にダウンロードされる。１つまたは複数のダウンロードされた識別子を識別子の決定されたリスト（ＩＤ＿Ａ、ＩＤ＿Ｂ、…）と照合した後、ダウンロードされた１つまたは複数の識別子に対応するサイトへのリンクのリスト（Ｌｉｎｋ＿Ａ、Ｌｉｎｋ＿Ｂ、…）がコンピュータ端末によって生成される。【選択図】図１
2009003966.tif 000002
【特許請求の範囲】
【請求項１】
インターネット等の広域コンピュータ・ネットワーク（１００）上で入手可能な情報および／またはデータにアクセスする方法であって、
ａ）前記広域コンピュータ・ネットワーク（１００）の決定されたサイト（１０１、１０２、１０３）へのリンクに関連付けられた少なくとも１つの識別子（ＩＤ＿１、ＩＤ＿２、ＩＤ＿３…）を含む第１の変調された音響信号（Ａ）を、携帯通信ユニット（１、１* ）をそれぞれが持っている一群の潜在的ユーザに送信するステップと、
ｂ）前記携帯通信ユニット（１、１* ）が、前記第１の変調された音響信号（Ａ）によって送信された１つまたは複数の識別子（ＩＤ＿１、ＩＤ＿２、ＩＤ＿３、…）を当該携帯通信ユニット（１、１* ）のメモリに記憶するステップと、
ｃ）前記広域コンピュータ・ネットワーク（１００）に接続されているコンピュータ端末（５０、５１、５２）が、当該コンピュータ端末にインストールされたコンピュータプログラムによる制御の下で、前記携帯通信ユニット（１）と接続されたときに、当該携帯通信ユニット（１）に記憶されている１つまたは複数の識別子（ＩＤ＿１、ＩＤ＿２、ＩＤ＿３、…）を、前記コンピュータ端末（５０、５１、５２）にダウンロードするステップと、
ｄ）ダウンロードされた１つまたは複数の識別子（ＩＤ＿１、ＩＤ＿２、ＩＤ＿３…）に対応するサイトへのリンクのリスト（Ｌｉｎｋ＿Ａ、Ｌｉｎｋ＿Ｂ、Ｌｉｎｋ＿Ｃ、…）を生成するために、ダウンロードされた１つまたは複数の識別子（ＩＤ＿１、ＩＤ＿２、ＩＤ＿３、…）を識別子の決定されたリスト（ＩＤ＿Ａ、ＩＤ＿Ｂ、ＩＤ＿Ｃ、…）と照合するステップとを含むことを特徴とする方法。
【請求項２】
前記ダウンロードするステップｃ）が、前記コンピュータ端末（５０、５１、５２）に、前記携帯通信ユニット（１、１* ）によって記憶されている１つまたは複数の識別子（ＩＤ＿１、ＩＤ＿２、ＩＤ＿３、…）を含む第２の変調された音響信号（Ｂ）送信することによって達成されることを特徴とする請求項１に記載の方法。
【請求項３】
前記コンピュータ端末（５０、５１、５２）が、前記識別子の決定されたリスト（ＩＤ＿Ａ、ＩＤ＿Ｂ、ＩＤ＿Ｃ、…）を含んでいるデータベース（１１１）を含む前記広域コンピュータ・ネットワーク（１００）の特定のサイト（１０１）に接続されており、前記コンピュータ端末にダウンロードされた１つまたは複数の識別子（ＩＤ＿１、ＩＤ＿２、ＩＤ＿３、…）が前記データベース（１１１）の識別子の決定されたリスト（ＩＤ＿Ａ、ＩＤ＿Ｂ、ＩＤ＿Ｃ、…）と照合されて、前記リンクのリスト（Ｌｉｎｋ＿Ａ、Ｌｉｎｋ＿Ｂ、Ｌｉｎｋ＿Ｃ、…）が生成されることを特徴とする請求項１または２に記載の方法。
【請求項４】
少なくとも１つの識別子が、前記識別子が関連付けられているサイト上の特権的データへアクセスする鍵にも関連付けられていることを特徴とする請求項１ないし３に記載の方法。
【請求項５】
コンピュータ端末（５０）上に識別子がダウンロードされると即座に、そのコンピュータ端末（５０）において、ダウンロードされた前記識別子に関連付けられた前記広域コンピュータ・ネットワーク（１００）の決定されたサイト（１０１）への接続等の所定のプロセスが自動的に開始されることを特徴とする請求項１ないし４に記載の方法。
【請求項６】
ユーザの携帯通信ユニット（１）から別のユーザの携帯通信ユニット（１* ）に対して少なくとも１つの識別子（ＩＤ＿３）が再送信されることを特徴とする請求項１ないし５に記載の方法。
【請求項７】
第１の変調された音響信号（Ａ）がテレビジョン（２、２ａ）またはラジオ（３、３ａ）再送信設備によって送信されることを特徴とする請求項１ないし６に記載の方法。
【発明の詳細な説明】
【技術分野】
【０００１】
本発明は、インターネット等の広域コンピュータ・ネットワーク上で入手可能な情報および／またはデータにアクセスする方法およびシステムに関する。
【背景技術】
【０００２】
インターネットのような広域コンピュータ・ネットワークまたはグローバル・ネットワークは、テキスト・データ、画像またはデジタル形式への変換が可能な他のあらゆる媒体等のすべてのタイプの情報およびデータを伝達するために、多くの個人によって今や世界中で使用されている。これらのネットワークは過去１０年の間に急速な発展を遂げ、全ての人がアクセス可能な情報量は事実上無限となった。
【０００３】
これらのコンピュータ・ネットワーク上のサイトへのアクセスは、一般に国ごとの調整当局によって割り当てられている決定されたアドレスまたはリンク（「ユニバーサル・リソース・ロケータ」ＵＲＬとも呼ばれる）によって管理されている。特定サイトへの接続を希望するユーザは、自分が求める関連情報を獲得するためにそれらのリンクを記憶しておく必要があるが、これらのリンクは記憶するには若干長くて複雑である。これらのリンクは一般に、そのサイトを維持する企業または個人が使用する商号または呼称に通常は関係する理解し易い用語に「変換」され指定されているが、そのようなリンクを入力する際に誤りが頻発し、その結果、最初に希望していたサイトとは異なるサイトに接続してしまうか、または極めて単純には、希望したサイトへの接続に失敗する危険性がある。
【０００４】
さらに、サイトの構成が一般的に複雑であるので、一般にユーザは、まず対象となるサイトのメインページに接続してからでないと自分が求めている情報を表示している特定のサイトのページにアクセスすることができない。この問題は、そのようなサイトのぺージが定期的に更新され、そのようなページへのリンクがそのサイトの保守管理の意向で発展する場合には発生頻度が一層高まる。
【０００５】
これはまた、クライアントまたはユーザを対象としたサービスならびに情報へ迅速で直接的にアクセスすることを希望する企業または個人に対する大きな問題をも孕んでいる。
【０００６】
さらに、グローバル・コンピュータ・ネットワークによって形成されたこの情報およびデータ媒体と、例えばテレビジョンまたはラジオ等の他の従来型媒体との間には事実上、繋がりはない。現在では、テレビジョンまたはラジオのコマーシャルや類似の媒体によって送信される他の視覚的広告または音響広告を通して潜在的なユーザに対してサイトへのリンクを言語的にまたは視覚的に示すことが可能であるが、このような伝達方法は、特に既に上記で説明したようにユーザによって記憶される必要がある情報が複雑で幅広いという理由から、いまだに十分ではない。この伝達方法が使用されるときには、一般にそのネットワーク上のサイトの主要なリンクだけが示され、関連情報そのものが表示されているサイトのページは示されない。したがって、所望の情報を見つけるために対象となるサイトを精読するのはユーザ自身ということになる。
【０００７】
したがって、ユーザにこれらのグローバル・コンピュータ・ネットワーク上で入手可能なデータおよび／または情報に容易かつ迅速かつ直接的にアクセスすることを可能にし、かつ、サイト管理者にそのようなデータおよび／または情報を含んでいるページへの直接的なアクセスを提供することを可能にする解決策が実際に求められている。
【発明の開示】
【発明が解決しようとする課題】
【０００８】
したがって本発明の一般的な目的の１つは、グローバル・コンピュータ・ネットワーク上で入手可能なデータまたは情報へのアクセスを容易にするための解決策を提案することである。
【０００９】
本発明のもう１つの目的は、可能ならば既存の設備を使用して、または少なくとも可能な限り少ない変更で容易に実施される解決策を提案することである。
【００１０】
本発明の別の目的は、テレビジョンやラジオ等の情報を送信するための従来型媒体と、インターネット等の広域コンピュータ・ネットワークとの間にインターフェースを確保する解決策を提案することである。
【課題を解決するための手段】
【００１１】
したがって本発明は、ａ）第１の変調された音響信号を、携帯通信ユニットがそれぞれに提供されている一群の潜在的ユーザに送信することであって、この第１の変調された音響信号は前記広域コンピュータ・ネットワークの決定されたサイトへのリンクに関連付けられた少なくとも１つの識別子を含むステップ、ｂ）前記携帯通信ユニットに、第１の変調された音響信号によって送信された１つまたは複数の識別子を記憶するステップ、ｃ）携帯通信ユニットに記憶されている１つまたは複数の識別子を、前記広域コンピュータ・ネットワークに接続されているコンピュータ端末にダウンロードするステップ、およびｄ）ダウンロードされた１つまたは複数の識別子に対応するサイトへのリンクのリストを生成するために、ダウンロードされた１つまたは複数の識別子を識別子の決定されたリストと照合するステップを含むことを特徴とする、広域コンピュータ・ネットワーク上で入手可能な情報および／またはデータにアクセスするための方法に関する。
【００１２】
本発明は、また、広域コンピュータ・ネットワークの決定されたサイトへのリンクに関連付けられた少なくとも１つの識別子を含む第１の変調された音響信号を一群の潜在的ユーザに送信する手段と、前記第１の変調された音響信号を受信する手段、前記第１の変調された音響信号によって送信される１つまたは複数の識別子を記憶する手段、及び前記携帯通信ユニットによって記憶されている１つまたは複数の識別子を含む第２の変調された音響信号を送信する手段を含み、それぞれのユーザに用意されている携帯通信ユニットと、前記広域コンピュータ・ネットワークに接続されており、前記第２の変調された音響信号を受信するように構成されているダウンロードする手段を含むコンピュータ端末とを備え、そのコンピュータ端末が、ダウンロードされた１つまたは複数の識別子を識別子の決定されたリストと照合し、かつ、ダウンロードされた１つまたは複数の識別子に対応するサイトへのリンクのリストを生成するように構成されていることを特徴とするシステムにも関する。
【００１３】
本発明の有利な実施形態は、従属クレームの主題を形成している。
【発明の効果】
【００１４】
本発明によれば、サイト（またはそのサイトのページ）のリンクと、可能ならばサイト上の特権的データへアクセスする「鍵」にそれぞれが関連付けられている識別子が、音響伝送手段によって変調された音声信号形式で送信される。この変調された音響信号は、大量のユーザの一団に対してテレビジョンやラジオ等の広域配信媒体を介して、またはより限定された一群のユーザに対して、例えば店舗、観光スポット、美術館等の限定された空間内に配置された特定の設備によって送信することができる。
【００１５】
テレビやラジオ等の多くの情報伝送装置には、ユーザが聴取可能な可聴信号を読み出すためのスピーカが装備されている。したがって、広域コンピュータ・ネットワーク上で入手可能なデータまたは情報へのリンクを伝達するこの既存の伝送方法を使用すると、特別にそのような装置を適合することが不要になり、したがって本発明は最小限のコストで実施することができる。
【００１６】
この点に関して、音響インターフェースを介してデータを伝送および交換するデバイスは、特に参照により本明細書に組み込んだＥｔａ  ＳＡ  Ｆａｂｒｉｑｕｅｓ  ｄ’Ｅｂａｕｃｈｅｓの名義の特許出願番号第ＥＰ  １  ０７５  ０９８号および第ＷＯ  ０１／１００６４号から周知であることに留意されたい。この通信方法は、例えばこれもまたＥｔａ  ＳＡ  Ｆａｂｒｉｑｕｅｓ  ｄ’Ｅｂａｕｃｈｅｓの名義の特許出願番号第ＷＯ  ０１／０９６８９号で時間に関係した機能を有する携帯物の時間を設定するために適用されている。
【００１７】
本発明によれば、識別子は、腕時計等のユーザが携帯する移動通信ユニットに送信されて記憶される。これらの識別子は、求めている情報またはデータが表示されている広域コンピュータ・ネットワークに接続されているコンピュータ端末上に、好適にはこれもまた音響インターフェースを使用して、ユーザによって後でダウンロードされる。
【００１８】
このコンピュータ端末は、識別子のリストとそれら識別子に関連付けられたリンクを含んでいるデータベースを含む広域コンピュータ・ネットワーク上の特定サイトに接続されることが好ましい。ユーザによってロードされた識別子とデータベースに存在する識別子との間で照合が行われ、対応するリンクはユーザにアクセス可能となる。
【００１９】
本発明の方法およびシステムは、一群のユーザまたは潜在的クライアントを対象とした広告情報（特別なお知らせ、時間限定の売り申し込み、ギフト券、等）の伝達を目的として、またはこれらのユーザを現行事象（情報掲示、総合的スポーツ結果、等）に関係した詳細情報ページに直接的に誘導するために特に使用することができる。この方法およびこのシステムはまた、文化的スポットや観光スポットで、ユーザが訪問している場所に関するサイトへの特定のリンクをそのユーザに送信するために使用することができ、そのユーザは後で自分が訪問しているその文化的スポットや観光スポットに関するさらなる情報を獲得するためにこれを使用することができる。
【発明を実施するための最良の形態】
【００２０】
本発明の他の特徴および利点は、添付の図面を参照しながら、限定的でない例示としてなされる以下の詳細な記述を読むことによってより明らかになろう。
【００２１】
本発明によれば、各潜在的ユーザは、有利には図示したように腕時計の形態をとることができる携帯通信ユニット１を持っている。この携帯通信ユニット１は特に変調された音響信号の送信／受信手段を含むが、これを図２により詳細に示す。
【００２２】
図２に、時計の形態を取ることができる携帯通信ユニット１の特別な実施形態例を概略的に示す。ユニット１には電気音響変換器３０によって構成される受信手段が含まれるが、これはマイクロフォンのように動作し、従来、付帯的音響信号を一連の電気信号に変換するものであり、次いでその一連の電気信号は、処理される対象となるデータに携帯ユニット１の変換手段によって変換され、記憶される。図２に示される例では、携帯ユニット１の変換手段には、電気音響変換器３０によって生成された電気信号のための増幅器１０と、変換器３０によって受信された音響信号を復調し、その復調した信号をマイクロコントローラ１４の入力に送信する、信号増幅器１０に接続された復調器１２とが含まれる。マイクロコントローラ１４は携帯ユニット１のための処理手段を構成する。受信した音響信号によって搬送され、復調器１２によって復調され、マイクロコントローラ１４によって処理される情報は、ユニット１のメモリ１６に記憶され、必要に応じて液晶ディスプレイ等の表示装置１８上に表示することができる。充電式電池２０が携帯ユニット１に電流を供給する。
【００２３】
また、携帯ユニット１には、メモリ１６に記憶されており処理手段１４によって提供されるデータを、その記憶されたデータを表す変調された音響信号に変換し、その音響信号を送信するための変換及び送信手段も用意されている。図２に示すように、携帯ユニット１の変換手段には、送信手段すなわちこの場合スピーカとして動作するいわゆる電気音響変換器３０を駆動回路２４によって駆動する変調回路２２が含まれる。携帯ユニット１の処理手段すなわちマイクロコントローラ１４は、マイクロコントローラ１４に関連付けられたメモリ１６から発せられるデータを使用して変調回路２２を制御する。
【００２４】
携帯ユニット１の変換及び送信手段および受信及び変換手段は、可逆的方法で動作する、すなわちマイクロフォンとしてもスピーカとしても動作する同じ単一電気音響変換器３０を使用すると有利である。しかしながら、２つの別個の電気音響変換器を使用することも可能であることも理解されたい。
【００２５】
携帯通信ユニット１は、Ａで示される、適切な送信手段によって送信される第１の変調された音響信号を受信するように構成されている。この送信手段は、有利には、ヘルツ、ケーブルまたは衛星によってテレビ放送される番組送信ネットワークに接続されているテレビジョン２の形態、または恐らくはラジオ送信ネットワークに接続されているラジオセット３の形態をとることができる。変調された音響信号Ａは一般に、例えばコマーシャルや再放送番組の期間中に、一般にテレビジョン２またはラジオ３に設けられている１つまたは複数のスピーカ２ａ、３ａによって音響信号（デジタルシーケンスによって変調された）として送信される。
【００２６】
あるいは、例えば店舗、観光スポットまたは文化的スポット等のより限定された大衆に届けることを対象とした応用例の場合、変調された音響信号Ａは、基本的にテレビジョン２またはラジオセット３と同様の方法でスピーカ４ａを含む特定のデバイス４によって送信することができる。このスピーカ４ａは、マイクロコンピュータまたはその他のコンピュータ端末のような、変調された音響信号Ａを生成するように構成された例えばコンピュータ化されたシステム４ｂによって制御することができる。当然ながら、デバイス４は様々な形態をとることができるが、音響信号を送信するための手段（スピーカ４ａ等）とその音響信号を生成するための手段を含むことが肝要であることを理解されたい。
【００２７】
変調された音響信号Ａは、本発明によれば、ＩＤ＿ｎ（ｎ＝１、２、３…）で示した１つまたは複数の識別子を含む。これらの識別子ＩＤ＿ｎは、図１に１００で示した広域コンピュータ・ネットワーク上の決定されたサイト（サイト１０１、１０２、１０３等々）へのリンク（用途または時機に応じて決定される）にそれぞれが関連付けられている。変調された音響信号Ａは、それら識別子のうちの１つまたは複数を含むことができる。
【００２８】
識別子ＩＤ＿ｎは、例えば、音響信号Ａが変調される２進デジタル・シーケンスの形態をとる。当業者は、振幅変調、周波数変調（例えば、信号周波数が２つの決定された周波数間で切替えられる周波数変位方式またはＦＳＫと呼ばれる技術に従って）、または位相変調（例えば、「０」と「１」のどちらを送信することを希望するかによって信号が交互に１８０°位相シフトする位相変位変調方式またはＰＳＫと呼ばれる技術に従って）等の２進デジタル・シーケンスによって音響信号を変調するための非常に様々な解決法が入手可能である。これらの周知の変調技術に関する詳細情報は、Ｄ．Ｃｈｒｉｓｔｉａｎｓｅｎ著「Ｅｌｅｃｔｒｏｎｉｃ  Ｅｎｇｉｎｅｅｒｓ’  Ｈａｎｄｂｏｏｋ」１９９７年、ＭｃＧｒａｗ−Ｈｉｌｌ、第４版という書籍の第１８章１８．４０から１８．４４頁に記載されている。
【００２９】
変調された音響信号Ａによって送信される識別子ＩＤ＿ｎは、図１に１６０で示すメモリ・フィールドによって概略的に示されるように、各通信ユニット１のデータ・メモリ（図２の１６）に記憶されている。
【００３０】
本発明の変形形態によれば、１つまたは複数のこれらの識別子ＩＤ＿ｎは、１* で示される別のユーザに備えられている類似の通信ユニットと交換することができる。記憶された識別子の集合のうちから１つの識別子を選択することによって（例えば図示した識別子ＩＤ＿３）、ユーザは事前に記憶されているリンクを別のシステムのユーザに対して容易に送信することができる。この交換は、各通信ユニット１、１* の音響インターフェースによって実現されることが好ましく、かつ有利である。
【００３１】
通信ユニット１に記憶されている識別子ＩＤ＿ｎは、次いで、特に広域コンピュータ・ネットワーク１００に接続されている中央処理ユニット５１を含む、５０で示したコンピュータ端末にダウンロードされる。このコンピュータ端末５０には、例えばマイクロフォン５２等の、外部音響信号を受信できる手段が設けられていることが好ましい。したがって携帯通信ユニット１に記憶されている識別子ＩＤ＿ｎは、コンピュータ端末５０とユニット１との間の音響インターフェースによって、Ｂで示した変調された音響信号を送信することによってダウンロードされ、中央処理ユニット５１のメモリに少なくとも一時的に記憶される。
【００３２】
あるいは、識別子は、光学的手段または無線周波数手段またはケーブル接続を介する等の様々な手段によって音響手段にダウンロードすることができることを理解されたい。しかしながら、実際上すべての現代のコンピュータ端末は音響信号を受信するための手段を装備しているか、または少なくとも低コストでそのような手段を装備することができるので、音響インターフェースの使用は決定的な利点を構成するが、別の送信手段を使用すると、特定の非標準装置が必要となるか、または携帯通信ユニット１のために複雑な構造を伴うことを理解されたい。
【００３３】
特に有利な実施形態によれば、図２に示す通信ユニット１を使用することができ、前述の欧州特許出願番号第１  ０７５  ０９８号で開示されている電気音響信号コンバータおよび音波通信方法を使用する。この応用例では、ピエゾ電子振動子を使用した音声生成回路を特に有利に使用することができる。
【００３４】
識別子ＩＤ＿ｎがコンピュータ端末５０にダウンロードされると、識別子ＩＤ＿Ａ、ＩＤ＿Ｂ、ＩＤ＿Ｃ等々の決定されたリストと照合されるが、これらはそれぞれ、広域コンピュータ・ネットワーク１００上のサイトまたはサイトの決定されたページへの決定されたリンクであるＬｉｎｋ＿Ａ、Ｌｉｎｋ＿Ｂ、Ｌｉｎｋ＿Ｃ等々に対応している。ダウンロードされた識別子に対応するリンクのリストが、次いでコンピュータ端末５０によって生成され、そこに接続するためにユーザにアクセス可能となる。この接続は、識別子の照合が完了すると即座に自動で行うことができると有利である。
【００３５】
コンピュータ端末５０は広域コンピュータ・ネットワーク１００上の特定のサイト（例示としてのみｗｗｗ．ｓｗａｔｃｈ．ｃｏｍと示す）に接続されることが好ましいが、図１に１０１で示すこの特定サイトは、識別子ＩＤ＿Ａ、ＩＤ＿Ｂ、ＩＤ＿Ｃ等々の決定されたリストと、関連付けられたリンクＬｉｎｋ＿Ａ、Ｌｉｎｋ＿Ｂ、Ｌｉｎｋ＿Ｃ等々を含んでいるデータベース１１１を含む。次いでこのリストとダウンロードされた識別子との照合は特定サイト１０１によって行うことができ、したがって小型プラグインだけをコンピュータ端末５０にインストールすればよく、したがって、リンクの決定されたリストと関連付けられた識別子をコンピュータ端末５０にロードすることは不要になる。
【００３６】
広域コンピュータ・ネットワーク１００上のサイトまたは特定サイトのページへのリンクに加え、識別子を、前記識別子が関連付けられているサイト上の特権的データへアクセスする鍵にも関連付けることができる。例えばクライアント・フィデリティ・プログラムに鑑みて、このシステムは、広域コンピュータ・ネットワークでホストされるアカウント内にフィデリティ・ポイントを蓄積するために使用することもできる。
【００３７】
さらに、識別子はコンピュータ端末で所定のプロセスを自動的に開始することもできる。例えば、ユーザがこのタイプの識別子を自分のコンピュータ端末にダウンロードする場合、その識別子は、データベース１１１を含む決定されたサイト１０１にユーザが接続することを可能にするプラグインのようなアプリケーションを自動的に開始することもできる。この識別子は、ユーザの画面のグラフィック表示、メロディ生成等々のコンピュータ端末のある種のパラメータを変更することもできる。
【００３８】
当業者には、頭記の特許請求の範囲によって定義された本発明の範囲を逸脱せずに、明らかな様々な変形形態および／または改良を、本明細書に記載の実施形態に対して行うことができるということも理解されよう。具体的には、「リンク」という用語は、ネットワーク上の特定のサイトまたはそのサイトの特定のページにユーザが接続することを可能にするあらゆるアドレスまたは参照を包含することが理解されよう。
【図面の簡単な説明】
【００３９】
【図１】本発明による広域コンピュータ・ネットワーク上で入手可能なデータおよび／または情報にアクセスするためのシステムの概略図である。
【図２】本発明による特定の実施形態で使用される携帯通信ユニット１の特定の実施形態例の概略図である。
【符号の説明】
【００４０】
１  携帯通信ユニット
１*  別の携帯通信ユニット
２  テレビジョン
３  ラジオ
５０、５１、５２  コンピュータ端末
１００  広域コンピュータ・ネットワーク
１０１、１０２、１０３  広域コンピュータ・ネットワークの決定されたサイト
１１１  データベース
Ａ  第１の変調された音響信号
【図１】
2009003966.tif 000003
【図２】
2009003966.tif 000004